(57)【特許請求の範囲】
【請求項１】
前方に開口部を有した収納空間を有するフロアキャビネット本体と、該開口部を閉鎖する前板を有し、該フロアキャビネット本体の収納空間に、前後に引出し自在に収納された引出し部と、上記収納空間内に送風口を通じて温風を供給する乾燥手段とを備えて構成され、引出し部に収容された収容物を乾燥する引出し型乾燥キャビネットであって、
上記引出し部は、上記前板と該引出し部の底部となる底板と背板とを備えるとともに、上記収容物を保持するために桟状に設けられた線材を上記底板の上に有し、
上記引出し部の両側部が開放状態になっており、
上記送風口からの温風を供給する開放口部が、上記背板における上記送風口に対面する位置に形成されていることを特徴とする引出し型乾燥キャビネット。
【請求項２】
請求項１において、
上記収納空間内を循環した温風を排気するために取り込む取込口は、上記収納空間奥側上方に設けられ、上記収納空間側に向けて開口され、
上記送風口は、上記収納空間奥側の下方に設けられていることを特徴とする引出し型乾燥キャビネット。
【発明の詳細な説明】
【技術分野】
【０００１】
本発明は、キッチンのフロアキャビネットなどに組込んで使用される引出し型乾燥キャビネットに関する。
【背景技術】
【０００２】
上述のような引出し型乾燥キャビネットを備えたフロアキャビネットとしては、下記特許文献１及び下記特許文献２に開示されているものがある。
これらは、食器洗い乾燥機のように食器を洗う機能は備えていないが、まな板などの調理器具やフキンなどを収納して乾燥する機能を備えている。
【特許文献１】特開２００６−３２０５５０号公報
【特許文献２】特開２００６−３４１００４号公報
【発明の開示】
【発明が解決しようとする課題】
【０００３】
上記特許文献１や上記特許文献２には、洗った後軽く水切りした調理器具や食器類などが収容できるよう上方が開口の箱型の引出し部が開示されている。
しかしながら、このような箱型の引出し部は、その両側部が板体で構成されているため閉塞されており、収納容量が限られてしまう点が問題であった。例えば幅３０センチの引出し部の両側部に板体が設けられると、収納空間が幅方向におよそ５センチ程度、侵食されてしまうことになる。キッチンで使用される調理器具などは機能に応じて様々な形状のものが多種あるため、少しでも収納空間を広く確保し、収納力のある引出し部の構造が望まれている。
【０００４】
本発明は、上記課題を解決するために提案されたもので、収納スペースを有効に使用できる引出し型乾燥キャビネットを提供することを目的としている。
【課題を解決するための手段】
【０００５】
上記課題を解決するために、本発明に係る引出し型乾燥キャビネットは、前方に開口部を有した収納空間を有するフロアキャビネット本体と、該開口部を閉鎖する前板を有し、該フロアキャビネット本体の収納空間に、前後に引出し自在に収納された引出し部と、上記収納空間内に送風口を通じて温風を供給する乾燥手段とを備えて構成され、引出し部に収容された収容物を乾燥する引出し型乾燥キャビネットであって、上記引出し部は、上記前板と該引出し部の底部となる底板と背板とを備えるとともに、上記収容物を保持するために桟状に設けられた線材を上記底板の上に有し、上記引出し部の両側部が開放状態になっており、上記送風口からの温風を供給する開放口部が、上記背板における上記送風口に対面する位置に形成されていることを特徴とする。
また本発明において、上記収納空間内を循環した温風を排気するために取り込む取込口は、上記収納空間奥側上方に設けられ、上記収納空間側に向けて開口され、上記送風口は、上記収納空間奥側の下方に設けられているものとしてもよい。
【発明の効果】
【０００６】
本発明の引出し型乾燥キャビネットによれば、引出し部は、上記前板と該引出し部の底部となる底板と背板とを備えるとともに、上記収容物を保持するために桟状に設けられた線材を底板の上に有し、上記底板の左右両側は開放状態となっているので、両側部を板体で閉塞した箱型の引出し部と比べて、板体の厚み分以上を収納スペースとすることができる。よって、左右幅を広く使用することができる。また線材に例えばフキンなどを掛けて使用することもできる。更にこのように両側部が開放状態になっており、送風口からの温風を供給する開放口部が、背板における送風口に対面する位置に形成されているので、送風口から供給される温風を取り込みやすく、乾燥手段による乾燥効率をよくすることができる。
【０００７】
また収納空間内を循環した温風を排気するために取り込む取込口は、収納空間奥側上方に設けられ、収納空間側に向けて開口され、送風口は、収納空間奥側の下方に設けられたものとすれば、収納空間全域に温風を効率よく行渡らせることができる。そして、温かい空気は上へ上へと上昇する性質を持っており、また温かい空気は冷たい空気がある側へと流れる性質を持っているため、上述のように構成することにより、収納空間の奥側下方から温風が供給されるので、空気の流れが下から上へと流れ、排気されるべき行き場を無くした冷たい空気は取込口へと流れていくことなり、理想的な空気の流れを作ることができる。
【発明を実施するための最良の形態】
【０００８】
以下に、本発明の実施の形態について、図面を参照しながら説明する。
図１は本発明に係る引出し型乾燥キャビネットの引出し部の全体斜視図、図２は同引出し型乾燥キャビネットを備えたフロアキャビネットの全体斜視図、図３は同引出し型乾燥キャビネットの概略縦断面図、図４は同引出し型乾燥キャビネットの模式的平面図、図５は同引出し型乾燥キャビネットの変形例であり、図１と同様図、図６は同引出し型乾燥キャビネットの変形例であり、図３と同様図である。
【０００９】
まずは図１〜図４に基づいて、本発明の引出し型乾燥キャビネット４について説明する。
尚、図１には、引出し部５０に収容する台所用品の例として、点線でフキン１０１を示しているが、これに限定されるものではない。
図２に示すようにフロアキャビネット１は、キッチンの床面に設置され、水栓２１を備えたシンク２やコンロなどの加熱機器３などを備えたカウンター部１１と、引出式或いは扉式とした収納部、ビルトイン式グリル（不図示）などを備えたキャビネット部１２とを備えている。カウンター部１１のカウンター本体１１０は、人造大理石或いはステンレスなどからなり、調理台などとして使用される。シンク２は、エポキシ系樹脂などからなる人造大理石或いはステンレスなどからなり、野菜や食器、フキンなどを洗ったりする場所として使用される。
【００１０】
キャビネット部１２には、台所用具等の引出し部５０に収容された収容物を乾燥可能な引出し型乾燥キャビネット４を備えている。
引出し型乾燥キャビネット４は、前方に開口部１２０を有した収納空間１０を有するフロアキャビネット本体１２１と、該開口部１２０を閉鎖する前板５を有し、該フロアキャビネット本体１２１の収納空間１０に、前後に引出し自在に収納された引出し部５０と、上記収納空間１０内に温風を供給する乾燥手段６２とを備えている。
フロアキャビネット本体１２１に形成される収納空間１０は、上述のように前方に開口部１２０が形成された矩形の空間となっており、ここに引出し部５０が引出し自在に収納することができるように設計されている。
引出し部５０の前板５上方に位置する部分には、それぞれが収納空間１０に通じる吸気口部材６、排気口部材７とが設けられており、引出し部５０を収納空間１０に収納した状態において、前板５の上端と収納空間１０の上側開口縁との間に介在するよう吸気口部材６と排気口部材７とは間隔ｄ（図５参照）を空けて左右両側に分けて配置されている。
尚、ここでは、吸気口部材６、排気口部材７がキャビネット本体１２１側に設けられている例を図示し説明しているがこれに限定されず、引出し部５０の前板５に取っ手部９とともにこれらが設けられるものとしてもよい。
【００１１】
吸気口部材６には、吸気口６１が形成されており、外気を後記する吸気ダクト６０に取り込む取り込み口として機能する。また、排気口部材７には、排気口７１が形成されており、収納空間１０内に供給された温風を排気する排気口として機能する。
吸気口部材６及び排気口部材７は、図２に示すようにキャビネット部１２の中段に設けられた取っ手部９０の突出状態と同じように前方向に突出して設けられている。引出し部５０が収納された状態においては、引出し部５０の取っ手部９がフロアキャビネット本体１２１に設けられた吸気口部材６及び排気口部材７との間に嵌め込まれるので、取っ手部９０とともに横方向に直線的に延びるラインが形成され統一感のあるフロアキャビネット１とすることができる。
【００１２】
図１に示すように収納空間１０に収納される引出し部５０は、キャビネット部１２の前面と面一になる面を前方とすると、前板５、底板５１、背板５２を備えており、そして底板５１の上に収容物を保持するために桟状に設けられた線材５３を有し、底板５１の左右両側は開放されている。線材５３は、パイプ状からなり空隙を隔てて上下に２本ずつ横設され、台所用品などの収容物が収容できる収容空間を形成している。線材５３の両端は、前板５と背板５２とで支持されている。背板５２には、収納空間１０を少しでも広く取り、送風口６０２からの温風を供給しやすくするための開放口部５２０が形成されており、底板５１の後方側部が開放されている（図３参照）。図例のものは送風口６０２に対面する位置に設けられている。開放口部５２０の形状は方形のものに限定されず例えば円形としてもよい。
【００１３】
図１に示す例は、フキン１０１などを掛けて使用できるよう線材５３が底板５１の左右両側側部より内側に設けられている例を示しているが、これに限定されず、要は底板５２１の左右両側が開放されている構造であれば、カゴが配置できる構造としてよい。また線材５３は図例のようにパイプ状のものに限定されず紐状のものとしてもよく、伸縮性のあるものを用いてもよい。線材５３の本数も片側２本に限定されるものではない。
背板５２の形状、構成はこのように板体に開放口部５２０を備えたものに限定されず、例えば板体の背板にパンチングを施し複数の孔が形成されたものとしてもよい。また開放口部５２０から収容物が落下しないよう開放口部５２０にネットなどを設けたものとしてもよい。送風口６０２には、引出し部５０に収容された収容物が送風口６０２に入り込まないよう網目状のキャップなど装着したものとしてもよい。要は、収納空間１０を狭めることなく、送風口６０２からの温風がスムーズに供給できる構造であればよい。
【００１４】
このように底板５１の左右両側、すなわち引出し部５０の両側部が開放状態になっているので、従来は側板となっていた側板の厚み分以上のスペースを収納スペースとすることができる。よって、引出し部５０の左右幅を広く使用することができる。また線材５３に図１に示すようにフキン１０１などを掛けて使用することもできる。フキン１０１は必ずしもこのように収容しなければならないものではないが、このように線材５３に掛けた状態で引出し部５０に収容すれば、掛け渡したフキン１０１の隙間に送風口６０２から温風を供給され、効率よくフキン１０１を乾燥させることができ、フキン１０１の衛生状態を良好に維持できる。
【００１５】
また底板５１の後方側部、すなわち背板５２に開放口部５２０が形成されているので、引出し部５０の収納方向１０奥側の収納領域を広く使用することができる。例えばおたまなど柄の長いものを引出し部５０に収納した場合、柄の部分が少し底板５１から飛び出す大きさであっても、開放口部５２０を備えているので、おたまの柄の部分だけが少し開放口部５２０から突出した状態で、引出し部５０に収容し乾燥させることができる。
【００１６】
引出し部５０の前板５の上側中央には、横方向に延びたライン型の取っ手部９が設けられている。収納空間１０に収納されるよう形成された引出し部５０は、取っ手部９を把持して前後に移動させると、引出し自在に収納可能となるようガイド部（不図示）を備えている。そして上述のように引出し部５０をフロアキャビネット本体１２１の収納空間１０に収納したときには、取っ手部９が吸気口部材６と排気口部材７との間に形成された空間に、嵌め込まれるようになっている。
引出し部５０の前板５の表面は、化粧面となっており、木目模様、石目、人造大理石柄、天然皮革の表面柄、布目、抽象柄など所望する模様が施されている。
【００１７】
図３、図４に示すように乾燥手段６２は、吸気ダクト６０内に設けられている。図３、図４では空気の流れを矢印で示しており、図４では吸気された空気の流れを実線で、排気される空気の流れを点線で示している。
フロアキャビネット本体１２１の収納空間１０内には、断面Ｌ字型形状の管状吸気ダクト６０が配設されている。吸気口部材６の吸気口６１と連通して設けられる管状の吸気ダクト６０は、吸気口部材６が設けられている位置から収納空間１０奥側に配設される。吸気ダクト６０の一端は吸気口６１に連通する連通口６０１とし、他端は収納空間１０に温風を供給する送風口６０２としている。送風口６０２は、収納空間１０奥側の下方に設けられ、収納空間１０側に温風が供給されるよう収納空間１０側に向けて開口されている。
【００１８】
排気口部材７の排気口７１と連通して設けられる管状の排気ダクト７０は、直状体からなり排気口部材７が設けられている位置からそのまま直線的に延びて配設される。排気ダクト７０の一端は排気口７１に連通する連通口７０１とし、他端は収納空間１０内循環した温風の排気するために取り込む取込口７０２としている。取込口７０２は、収納空間１０奥側に設けられ、収納空間１０内の温風が流入してくるよう収納空間１０側に向けて開口されている。
【００１９】
このように吸気ダクト６０がＬ字型に設けられ、温風を収納空間１０内に供給する送風口が収納空間１０の奥側下方に設けられており、且つ引出し部５０両側部及び背板５２が開放状態になっているので、収納空間１０全域に温風を効率よく行渡らせることができる。すなわち温かい空気は上へ上へと上昇する性質を持っており、また温かい空気は冷たい空気がある側へと流れる性質を持っているため、収納空間１０の奥側下方から温風を供給すれば、空気の流れが下から上へと流れ（図３の矢印参照）、排気されるべき行き場を無くした冷たい空気は排気ダクト７０の取込口７０２へと流れていくことなり、理想的な空気の流れを作ることができるのである。
【００２０】
図２に示すように前板５の前面上端には操作部８が設けられており、乾燥指令スイッチやオンオフスイッチなど（いずれも不図示）で構成される。操作部８には上述のようなスイッチの他、タイマ時間やエラー内容を表示する液晶表示部を設けたものとしてもよい。
ここに示す操作部８は、吸気口部材６の上方に一体に設けられている。これによれば、一体性のあるコンパクトな構成とすることができる。またこのように吸気口部材６側に設けられたものとすれば、排気口部材７から排気される空気の影響を受けることがないので、排気された空気の影響で操作部８が故障するおそれがなく、排気される空気に当たることもないので、ユーザによる操作もし易いものとすることができる。
【００２１】
次に引出し型乾燥キャビネット４による乾燥機能の使用手順を説明する。ここで参照する図３は引出し部５０が収納空間１０に収納された状態を示しており、図４は説明のため引出し部５０を図示していない。
まずは引出し部５０の取っ手９を持って、引出し部５０を引出し（図３参照）、洗い終わったフキン１０１、まな板、皿（不図示）などを引出し部５０内に収容する。取っ手部９を持って、引出し部５０を収納空間１０に収納する。
操作部８を操作してタイマ設定操作を行い、乾燥指令スイッチをオンすると乾燥手段６２が駆動する。乾燥手段６２のファンが起動して吸気口６１から外気を取り込む。取り込まれた空気は吸気ダクト６０の連通口６０１を通じて吸気ダクト内を流通する。流通してきた空気はヒータによって温められる。その後、温められ温風となった空気は送風口６０２から開放口部５２０、線材５３の間の空隙など通じて収納空間１０へと供給される（図３、図４参照）。収納空間１０内へ供給された温風は収納空間内１０を循環して引出し部５０内に収容されたフキン１０１などを乾燥する。
そして排気口７１からは随時収納空間１０内から漏れ出る空気が排気される。
【００２２】
このとき、吸気口６１と排気口７１とは所定の間隔ｄを隔てて設けられているため、排気口７１から排気された湿った空気が吸気口６１から再び吸気されてしまうことがない。よってショートパス現象を防止することができる。また両側部、背板５２が閉塞されていないので、効率よく温風が収納空間１０に供給され、乾燥効率を向上させることができる。
操作部８で設定されたタイマ時間の間、乾燥手段６２を駆動させた後、タイマ時間が経過すると乾燥が終わったことを液晶表示或いは、ブザー（不図示）を鳴動させてユーザに知らせ、乾燥工程が終了となる。
尚、乾燥機能の使用手順は上述の例に限定されるものではなく、操作部８での設定内容もこれに限定されるものではなく、操作部８によって一時停止などの操作を行えば、乾燥途中でも引出し部５０から乾燥中のものを取り出して使用することもできる。
【００２３】
次に図５、図６に基づいて引出し型乾燥キャビネット４の変形例について説明する。
ここに示す例は、背板５２の開放口部５２０より大きく形成し、フレーム状とした例であり、まな板１００などの出っ張りを許容できる空間が設けられている点で上述の例とは異なるものである。またこの例では、開放口部５２０に更に送風口６０２からの温風が供給されやすいよう更に切欠部５２１も備えている。尚、上述の例と共通する部分には共通する符号を付し、共通する部分の説明は割愛する。
このように開放口部５２０を大きく形成すれば、背板５２が単なる板体でなる場合よりも収納スペースを大きく確保でき、背板５２が閉塞されていたのでは収納できないまな板１００などを収容することができる。また開放口部５２０を大きく形成すれば、温風の供給もスムーズになされるので、乾燥効率の向上を図ることもできる。
この例においても、背板５２の形状、構成はこれに限定されず、また開放口部５２０から収容物が落下しないよう開放口部５２０にネットなどを設けたものとしてもよい。また送風口６０２には、引出し部５０に収容された収容物が送風口６０２に入り込まないよう網目状のキャップなど装着したものとしてもよい。要は、収納空間１０を狭めることなく、送風口６０２からの温風がスムーズに供給できる構造であればよい点も同様である。
【００２４】
尚、本発明のフロアキャビネット１、引出し型乾燥キャビネット４の構成及び形状、デザインは図例のものに限定されるものではない。またキッチンのフロアキャビネットに限定されず、洗面台のフロアキャビネットにも適用可能であり、雑巾或いはタオルなどの乾燥に用いることもできる。
【図面の簡単な説明】
【００２５】
【図１】本発明に係る引出し型乾燥キャビネットの引出し部の全体斜視図である。
【図２】同引出し型乾燥キャビネットを備えたフロアキャビネットの全体斜視図である。
【図３】同引出し型乾燥キャビネットの概略縦断面図である。
【図４】同引出し型乾燥キャビネットの模式的平面図である。
【図５】同引出し型乾燥キャビネットの変形例であり、図１と同様図である。
【図６】同引出し型乾燥キャビネットの変形例であり、図３と同様図である。
【符号の説明】
【００２６】
４      引出し型乾燥キャビネット
５      前板
５０      引出し部
５１      底部
５２      背板
５３      線材
１０      収納空間
１２０      開口部
１２１      フロアキャビネット本体
６０２      送風口
【図１】
0005281818.tif 000002
【図２】
0005281818.tif 000003
【図３】
0005281818.tif 000004
【図４】
0005281818.tif 000005
【図５】
0005281818.tif 000006
【図６】
0005281818.tif 000007